(57)【要約】【課題】  低温液貯蔵タンクを建設する土地の緑化面積を少なくする。【解決手段】  低温液貯蔵タンク７の外槽２の側壁となるコンクリート壁２ａの外側に、Ｕ溝状の植栽部９と全周に配置してアンカーボルト８を用いて取付け支持する。リング状としてある植栽部９に高木、低木等の植物１７を植栽する。外槽２の屋根２ｂの上面に植栽領域１３を設け、芝生１４等を植えるようにする。屋根２ｂに設けたスプリンクラー１５により散水するようにする。【選択図】図１
2008245553.tif 000002
【特許請求の範囲】
【請求項１】
地上に建設する低温液貯蔵タンクの外槽の側壁及び屋根に、植栽部を設けて、各植栽部に植栽することにより各植栽部を緑地とすることを特徴とする低温液貯蔵タンク建設地の緑地化方法。
【請求項２】
地上に建設する低温液貯蔵タンクの外槽側壁の外側に、植栽ができるようにしてある植栽部を、周方向に配置して取付け支持させ、且つ外槽屋根の上側に、植栽部となる植栽領域を設け、外槽側壁の植栽部に植栽すると共に、外槽屋根の植栽領域に植栽して緑地とするようにした構成を有することを特徴とする低温液貯蔵タンク建設地の緑地化設備。
【請求項３】
外槽側壁の植栽部をリング状とし且つ上下方向に複数段設けるようにした請求項２記載の低温液貯蔵タンク建設地の緑地化設備。
【請求項４】
外槽側壁の植栽部を、該外槽側壁の周方向へ延びるブロック状とし且つ上下方向に複数段設けるようにした請求項２記載の低温液貯蔵タンク建設地の緑地化設備。
【請求項５】
植栽部に植木鉢を引掛けて、該植栽部の外側を緑地化できるようにした請求項３又は４記載の低温液貯蔵タンク建設地の緑地化設備。
【発明の詳細な説明】
【技術分野】
【０００１】
本発明は、ＬＮＧ（液化天然ガス）等の低温液を貯蔵するタンクの建設地、特に、ＬＮＧ貯蔵タンクを建設してＬＮＧの受入れを行うＬＮＧ受入基地の建設地の緑地対策を行う緑地化方法及び緑地化設備に関するものである。
【背景技術】
【０００２】
ＬＮＧ等の低温液を貯蔵するタンクで地上に建設するものとしては、従来、図４に一例を示すようにした外槽をコンクリート製とした低温液貯蔵タンクがある。
【０００３】
図４に示す外槽コンクリート製の低温液貯蔵タンクは、地表に敷設された断熱コンクリートからなる基礎１と一体に外槽２の側壁となるコンクリート壁２ａが構築されており、コンクリート壁２ａの内壁面と基礎１の上面とに液密状態で且つ気密状態とすることができるシールプレート３が設けてある。上記シールプレート３上には、断熱保冷４を介して内槽５が設置され、この内槽５を被うよう外槽２の屋根２ｂが設けられ、シールプレート３の上縁部と屋根２ｂの外周縁部とが溶接接合されている。更に、上記内槽５と外槽２とで形成される空間内に粒状パーライト等の断熱材６が充填されている構成とされている（たとえば、特許文献１参照）。
【０００４】
【特許文献１】実開昭６１−１６６２９７号公報
【発明の開示】
【発明が解決しようとする課題】
【０００５】
ところが、ＬＮＧ受入基地の建設のように、特許文献１に記載されている如き低温液貯蔵タンクを設置しようとする場合においては、工場立地法に基づき、緑地面積を、敷地面積の２０％以上、環境施設（緑地を含む）面積を、敷地面積の２５％以上設けることが必要とされている。
【０００６】
緑地とは、１０ｍ２以上の土地に、高木、低木、芝生等が一定水準以上の密度で植栽されていて、美観上良好な状態に維持管理がされているものとされており、環境施設とは、噴水、水流等の施設、屋外運動場、広場、屋内運動施設、等が公園的に整備、管理されていることとされているが、上記のような低温液貯蔵タンクを建設するときは、敷地面積の２０％以上の上記の如き緑地の面積と２５％以上の上記の如き環境施設を確保しなければならないという制約がある。
【０００７】
そのため、これまでは、広い面積の土地を確保しなければならないという問題があった。
【０００８】
そこで、本発明は、ＬＮＧ受入基地の建設等のように低温液貯蔵タンク周辺に確保する緑地面積を極力少なくして敷地面積を大幅に小さくできるようにしようとするものである。
【課題を解決するための手段】
【０００９】
本発明は、上記課題を解決するために、地上に建設する低温液貯蔵タンクの外槽の側壁及び屋根に、植栽部を設けて、各植栽部に植栽することにより各植栽部を緑地とすることを特徴とする低温液貯蔵タンク建設地の緑地化方法とし、地上に建設する低温液貯蔵タンクの外槽側壁の外側に、植栽ができるようにしてある植栽部を、周方向に配置して取付け支持させ、且つ外槽屋根の上側に、植栽部となる植栽領域を設け、外槽側壁の植栽部に植栽すると共に、外槽屋根の植栽領域に植栽して緑地とするようにした構成を有することを特徴とする低温液貯蔵タンク建設地の緑地化設備とする。
【００１０】
又、上記構成において、外槽側壁の植栽部をリング状とし且つ上下方向に複数段設けるようにし、外槽側壁の植栽部を、該外槽側壁の周方向へ延びるブロック状とし且つ上下方向に複数段設けるようにした構成とする。
【００１１】
更に、植栽部に植木鉢を引掛けて、該植栽部の外側を緑地化できるようにした構成とする。
【発明の効果】
【００１２】
本発明の低温液貯蔵タンク建設地の緑地化方法及び緑地化設備によれば、以下の如き優れた効果を奏し得る。 
（１）地上に建設する低温液貯蔵タンクの外槽の側壁及び屋根に、植栽部を設けて、各植栽部に植栽することにより各植栽部を緑地とすることを特徴とする低温液貯蔵タンク建設地の緑地化方法、及び地上に建設する低温液貯蔵タンクの外槽側壁の外側に、植栽ができるようにしてある植栽部を、周方向に配置して取付け支持させ、且つ外槽屋根の上側に、植栽部となる植栽領域を設け、外槽側壁の植栽部に植栽すると共に、外槽屋根の植栽領域に植栽して緑地とするようにした構成を有することを特徴とする低温液貯蔵タンク建設地の緑地化設備としてあるので、低温液貯蔵タンクに作られる緑地部の面積を増大させることができて、当該低温液貯蔵タンクの建設地の敷地面積中の緑地面積を少なくすることができ、ＬＮＧ基地等の面積を小さくすることができる。 
（２）上記（１）により敷地面積の狭いところに低温液貯蔵タンクを建設できることになり、狭い土地にＬＮＧ受入基地が作れることになる。 
（３）低温液貯蔵タンクの外槽側壁に取り付ける植栽部をリング状とすることにより、広い範囲を緑地化できると共に、タンクの全周にわたり美観上良好な状態を維持させることができる。 
（４）低温液貯蔵タンクの外槽側壁に取り付け植栽部を、該外槽側壁の周方向へ延びるブロック状とすることにより、外槽側壁への取り付け作業を簡易に行うことができると共に、部分的に植栽部を取り替えることも容易にできて、季節に合った植物による緑化の実現を図ることができる。 
（５）上記の植栽部に植木鉢を取り付けるようにすることにより、更に緑地部の面積を増やすことができると共に、植木鉢を任意に取り替えることが容易で、上記（３）と同様に季節に合った植物による緑化を可能とすることができる。
【発明を実施するための最良の形態】
【００１３】
以下、本発明を実施するための最良の形態を図面を参照して説明する。
【００１４】
図１及び図２は本発明の実施の一形態として、図４に示した低温液貯蔵タンクを同様な地上の外槽コンクリート製の低温液貯蔵タンクを対象として緑地化を行うようにした場合の一例を示すもので、外槽コンクリート製低温液貯蔵タンク７の外槽２の側壁となるコンクリート壁２ａと屋根２ｂを緑地化して、該タンク７を建設する敷地面積に対する緑地面積を少なくし、それに伴い敷地面積全体を小さくできるようにする。
【００１５】
詳述すると、外槽コンクリート製低温液貯蔵タンク７の外槽２におけるコンクリート壁２ａを構築するときに、たとえば、該コンクリート壁２ａの上下方向に所要間隔を隔てた複数個所(図１では２個所の場合を示している)に、予め周方向に所要の間隔を隔てて複数本のアンカーボルト８を水平方向に固定させて放射方向に突出させておくようにする。
【００１６】
上記外槽２のコンクリート壁２ａの外側には、断面Ｕ型として内部に高木、低木等の植物を植えることができるようにしてある溝状の植栽部９を、環状に配置しながら、上記周方向の複数個所に配設してあるアンカーボルト８を植栽部９に内外方向へ貫通させるようにして、該植栽部９をコンクリート壁２ａの外側に全周にわたり囲繞させて取り付け、コンクリート壁２ａの外側に図１に示す如く植栽部９を多段に設けるようにする。なお、各段の植栽部９は、底部に排水管１０，１１を備えるようにする。
【００１７】
又、外槽２の屋根２ｂの上面には、ノズル等が設置してある等、タンクに必要な機器類が設置してあるスペース１２を除く広い領域に、必要に応じて防水シート等を敷き詰めて、その上方を植栽部となる植栽領域１３を設けるようにする。
【００１８】
上記植栽領域１３は、所要量の腐養土等を施して芝生１４を植えるようにしたり、植物栽培容器であるプランターや大型植木鉢等（いずれも図示せず）を周方向並びに半径方向に適宜並べて設置するようにし、屋根２ｂの最も高い所となる屋根２ｂの中央部には、散水用のスプリンクラー１５を農業用として設置した構成とする。１６は屋根２ｂの周辺部に設けた手摺りである。
【００１９】
上記構成としてある外槽２の側壁となるコンクリート壁２ａの外側に鉢巻き状に設置した多段の植栽部９には、高木や低木等の植物１７を一定水準以上の密度で植栽し、美観上良好な状態に維持されるようにする。これにより、緑地面積を低温液貯蔵タンク７自体の側壁部で稼ぐことができ、該低温液貯蔵タンク７周りの敷地面積中の緑地面積を減少させることが可能となる。
【００２０】
又、上記低温液貯蔵タンク７の外槽２の屋根２ｂの上面にも、植栽領域１３を設けて芝生１４を植栽すると共に、プランターや植木鉢を設置して、それに高木、低木等を植え込むことにより緑地化を図るようにする。このように、タンク７の屋根２ｂの上部にも植栽することにより、タンク７への緑地面積を増加させることができ、これに伴い、タンク７を設置する施設の敷地面積に対する緑地面積をより減少させることができることになる。
【００２１】
上記において、低温液貯蔵タンク７の外槽２における側壁側や屋根２ｂの植栽には、散水が必要である。屋根２ｂ上の植栽領域１３への散水は、中央部に設置したスプリンクラー１５を用いて行うことにより均一に散水することができる。この際、上記タンク７の屋根２ｂは、中央部が最も高く、外周部へ向うに従い低くなるようになっているので、スプリンクラー１５により屋根２ｂの比較的中央部分に散水させると、散水された水は、徐々に低位置の方向へ流れて、屋根２ｂの周辺部へ達するようになるので、全域にわたって容易に水分の補給を行うことができる。
【００２２】
上記のように、低温液貯蔵タンク７の外槽２における屋根２ｂの植栽領域１３への散水により、該屋根２ｂの外周部へ流下した水は、屋根２ｂ上の排水設置により排水されるが、一部の水を屋根２ｂ上から側壁となるコンクリート壁２ａに沿うようにすることにより、コンクリート壁２ａの外側に取り付けてある最上段のリング状の植栽部９内に入るようにすれば、該植栽部９への直接の散水を省略することが可能となる。勿論、該植栽部９へ直接散水させるようにすることは可能である。
【００２３】
上段の植栽部９からの排水は、排水管１０を経てその下の植栽部９内へ導入されることにより、該下段の植栽部９の散水を行うことが可能となる。下段の植栽部９からの排水は、排水管１１を通して地中に流されることになる。この際、図１（イ）に示す如く、上段の植栽部９と下段の植栽部９との間に備える排水管１０と、下段の植栽部９に備えた排水管１１とを互に反対方向に設置しておくことにより、上段の植栽部９からの排水を、下段の植栽部９の全域に導いた後、排水管１１から地中へ流下させられるので、下段の植栽部９では全周にわたり散水することができるようになる。なお、下段の植栽部９に対し、直接散水するようにしてもよいことは当然である。
【００２４】
次に、図３は本発明の実施の他の例を示すもので、図１（イ）に示す実施の形態で各段の植栽部９を一連のものとしてコンクリート壁２ａの全周に鉢巻状に取り付けるようにしたものに代えて、周方向に不連続の状態で配置するようにしたものである。すなわち、Ｕ溝状の植栽部９を周方向に所要長さ寸法のブロックとして製作してブロック状の植栽部９ａとし、これら各植栽部９ａのブロックを、低温液貯蔵タンク７の外槽２のコンクリート壁２ａを取り囲むように周方向へ複数個配置し、各植栽部９ａを、図１（イ）（ロ）に示す場合と同様に、予めコンクリート壁２ａの構築時に埋め込み固定しておいたアンカーボルト８で支持させるようにしたものである。その他の構成は図１（イ）に示したものと同じであり、同一のものには同一符号が付してある。
【００２５】
この実施の形態によれば、タンク７外槽２の側壁となるコンクリート壁２ａへの植栽部９ａの取付支持を簡単に行うことができると共に、部分的な取り換えも容易にできて異なる高木、低木等を植栽したものと置き換えて緑地化を図ることが可能となる。又、各植栽部９ａには、図示のように排水管１０や１１を設けるようにして、図１（イ）に示す場合と同様に上段の各植栽部９ａから下段の各植栽部９ａへ、又、下段の植栽部９ａから地中へ排水管１０，１１を通して水を流下させるようにしてもよく、あるいは、排水管１０，１１を設けることに代えて、各植栽部９ａの底部に排水用の孔を設けるようにしてもよい。
【００２６】
更に、図示してないが、本発明の実施の更に他の形態として、図１（イ）（ロ）、図２、図３に示してある植栽部９，９ａの外側の上端縁に、植木鉢に取り付けて植木鉢を棧等に引掛けるようにする引掛具を引掛けるようにして、植栽部９，９ａの外側に多数の植木鉢を取外し自在に取り付けるようにすることができる。
【００２７】
なお、本発明は、上記した実施の形態のみに限定されるものではなく、たとえば、低温液貯蔵タンク７として、図４に示したと同様の外槽コンクリート製の低温液貯蔵タンクを示したが、ＬＮＧの如き低温液を貯蔵する地上設置のタンクであれば、図示以外の形状のものでもよいこと、低温液貯蔵タンク７の外槽２における側壁としてのコンクリート壁２ａに植栽部９，９ａを全周にわたるように取り付けて支持したものを図１（イ）、図３では２段の場合を例示しているが、２段に限られるものではなく、３段もしくはそれ以上の段数としてもよいこと、又、上記各段の植栽部９，９ａのコンクリート壁２ａへの取り付けを、コンクリート壁２ａに予め固定したアンカーボルト８を利用する場合を例示したが、他の手段を採用するようにしてもよい。これに伴い、既設のタンクの側壁に植栽部をリング状に取り付けて、既設のタンクに緑地部を移すことができるようになる。更に、低温液貯蔵タンク７の外槽２の屋根２ｂには、防火用としてのスプリンクラーが設置されているが、この防火用スプリンクラーからの噴水量を調節できるようにして植栽への散水に用いるようにすることは任意である。又、図１（イ）（ロ）、図３において、植栽部９，９ａの下側となるコンクリート壁２ａの外周に支持材を巻き付けて、該支持材とアンカーボルト８、あるいは支持材のみで植栽部９，９ａを受けるようにしてもよいこと、その他本発明の要旨を逸脱しない範囲内で種々変更を加え得ることは勿論である。
【図面の簡単な説明】
【００２８】
【図１】本発明の実施の一形態を示すもので、（イ）は概略側面図、（ロ）は（イ）のＡ部の拡大図である。
【図２】図１の概略平面図である。
【図３】本発明の実施の他の形態を示す概略側面図である。
【図４】従来の低温液貯蔵タンクの切断面図である。
【符号の説明】
【００２９】
２  外槽
２ａ  コンクリート壁
２ｂ  屋根
７  低温液貯蔵タンク
８  アンカーボルト
９，９ａ  植栽部
１３  植栽領域
１４  芝生
１５  スプリンクラー
１７  高木、低木等の植物
【図１】
2008245553.tif 000003
【図２】
2008245553.tif 000004
【図３】
2008245553.tif 000005
【図４】
2008245553.tif 000006